(57)【要約】【課題】従来は記憶媒体ごとの管理を行っていないので、配信局に登録された受信機情報が一致していれば、取得した視聴情報を何度でも記憶媒体に記録でき、特典サービスの権利が複製されるとい問題があった。【解決手段】サーバ１はデータ及びサービス情報を保有する。記憶媒体２はサーバ１から暗号化されたデータ及びサービス情報を受け取り記憶する。携帯情報端末５ａは記憶媒体２のデータ及びサービス情報を復号する。確認システム８は特典サービスを受けるユーザ６を確認する。商品販売店７は所定の情報に基づいて特典サービスをユーザ６に提供する。【選択図】        図１
2005004357.tif 000002
【特許請求の範囲】
【請求項１】
サービス情報に基づいて特典サービスを受けるための連携サービスシステムであって、
前記サービス情報を記憶する蓄積手段と、
前記蓄積手段に記録された前記サービス情報を外部に送信する情報伝達手段と、
前記サービス情報に基づいて特典サービスを受けるユーザを確認するため、サービス提供業者に設けられた確認システムと、を具備し、
前記確認システムは、
前記蓄積手段の保有する識別情報を受け取り、前記識別情報を登録すると共に、異なる識別情報を保有する蓄積手段との交信を排除し、登録された識別情報を有する蓄積手段であることを確認した後は、前記サービス提供業者が受け取った前記サービス情報及びサービス提供履歴に基づいて、ユーザがサービス提供業者の特典サービスを享受するようにしたことを特徴とする連携サービスシステム。
【請求項２】
サーバに蓄積されたサービス情報に基づいて特典サービスを受けるための連携サービスシステムであって、
データ及びサービス情報を保有するサーバと、
前記サーバで暗号化された前記サービス情報を外部に送信する情報伝達手段と、
前記情報伝達手段から送信された前記サービス情報に基づいて特典サービスを受けるユーザを確認するため、サービス提供業者に設けられた確認システムと、を具備し、
前記確認システムは、
前記情報伝達手段を介してサーバの保有する識別情報を受け取り、前記識別情報を登録すると共に、異なる識別情報を保有するサーバとの交信を排除し、登録されたサーバであることを確認した後は、前記サービス提供業者が受信した前記サービス情報及びサービス提供履歴に基づいて、ユーザが前記サービス提供業者の特典サービスを享受するようにしたことを特徴とする連携サービスシステム。
【請求項３】
サーバに蓄積されたサービス情報に基づいて特典サービスを受けるための連携サービスシステムであって、
データ及びサービス情報を保有するサーバと、
前記サーバで暗号化された前記データ及び前記サービス情報を受け取り、記録する記憶媒体と、
前記記憶媒体に記録された前記サービス情報に基づいて特典サービスを受けるユーザを確認するため、商品販売店に設けられた確認システムと、を具備し、
前記サーバは、
前記記憶媒体の保有する識別情報を受け取って前記識別情報を記憶し、異なる識別情報を保有する記憶媒体を排除すると共に、前記データ及びサービス情報を正規の識別情報を保有する前記記憶媒体に記録し、
前記確認システムは、
前記記憶媒体の保有する識別情報を受け取り、前記識別情報を登録すると共に、異なる識別情報を保有する記憶媒体との交信を排除し、登録された識別情報を有する記憶媒体であることを確認した後は、前記商品販売店が受信した所定の情報及びサービス提供履歴に基づいて、ユーザが前記商品販売店の特典サービスを享受するようにしたことを特徴とする連携サービスシステム。
【請求項４】
サーバに蓄積されたサービス情報に基づいて特典サービスを受けるための連携サービスシステムであって、
データ及びサービス情報を保有するサーバと、
前記サーバで暗号化された前記データ及び前記サービス情報を受け取り、記録する記憶媒体と、
前記記憶媒体に記録された前記データ及び前記サービス情報を復号し、外部に送信する携帯情報端末と、
前記携帯情報端末から送信されたサービス情報に基づいて特典サービスを受けるユーザを確認するため、商品販売店に設けられた確認システムと、を具備し、
前記サーバは、
携帯情報端末に前記記憶媒体が内蔵されているとき、前記記憶媒体の保有する識別情報を受け取り、前記識別情報を記憶すると共に、異なる識別情報を保有する携帯情報端末を排除し、携帯情報端末に内蔵されている記憶媒体に前記データ及びサービス情報を記録し、
前記確認システムは、
前記携帯情報端末に内蔵された記憶媒体の保有する識別情報を受け取り、前記識別情報を登録すると共に、異なる識別情報を保有する携帯情報端末との交信を排除し、登録された携帯情報端末であることを確認した後は、前記商品販売店が受信した前記サービス情報及びサービス提供履歴に基づいて、ユーザが前記商品販売店の特典サービスを享受するようにしたことを特徴とする連携サービスシステム。
【請求項５】
ユーザが使用する機器に設置されたＲＦＩＤ（Ｒａｄｉｏ  Ｆｒｅｑｕｅｎｃｙ  Ｉｄｅｎｔｉｆｉｃａｔｉｏｎ  無線周波数識別）タグのサービス情報に基づいて特典サービスを受けるための連携サービスシステムであって、
前記機器に設置されたＲＦＩＤタグと、
前記ＲＦＩＤタグから暗号化されたサービス情報を受け取る携帯情報端末と、
前記携帯情報端末から出力された前記サービス情報に基づいて特典サービスを受けるユーザを確認するため、商品販売店に設けられた確認システムと、を具備し、
前記ＲＦＩＤタグは、
前記携帯情報端末に内蔵された記憶媒体の識別情報を受け取り、前記識別情報を記憶すると共に、異なる識別情報を持つ携帯情報端末を排除し、携帯情報端末に内蔵されている記憶媒体に前記サービス情報を記録し、
前記確認システムは、
前記携帯情報端末に内蔵された記憶媒体の識別情報を受け取って登録すると共に、異なる識別情報が記録された携帯情報端末との交信を排除し、登録された識別情報が携帯情報端末から確認された後は、前記商品販売店が受信した前記サービス情報及びサービス提供履歴に基づいて、ユーザが前記商品販売店の特典サービスを享受するようにしたことを特徴とする連携サービスシステム。
【請求項６】
ユーザが使用する機器に設置されたバーコードのサービス情報に基づいて特典サービスを受けるための連携サービスシステムであって、
前記機器に設置されたバーコードと、
前記バーコードから暗号化されたサービス情報を受け取る携帯情報端末と、
前記携帯情報端末から出力された前記サービス情報に基づいて特典サービスを受けるユーザを確認するため、商品販売店に設けられた確認システムと、を具備し、
前記携帯情報端末は、
前記バーコードから受け取った前記サービス情報を、前記携帯情報端末に内蔵された記憶媒体に記録し、
前記確認システムは、
前記携帯情報端末の記憶媒体から前記識別情報を受け取り、前記識別情報を登録すると共に、異なる識別情報が記録された携帯情報端末との交信を排除し、登録された識別情報が前記携帯情報端末から確認された後は、前記商品販売店が受信した前記サービス情報及びサービス提供履歴に基づいて、ユーザが前記商品販売店の特典サービスを享受するようにしたことを特徴とする連携サービスシステム。
【請求項７】
前記サービス情報は、
購入商品情報であることを特徴とする請求項１〜６のいずれか１項記載の連携サービスシステム。
【請求項８】
前記サービス情報は、
サーバの製品情報であることを特徴とする請求項１〜６のいずれか１項記載の連携サービスシステム。
【請求項９】
前記記憶媒体は、
固有の識別情報を有するメモリカードであることを特徴とする請求項３〜８のいずれか１項記載の連携サービスシステム。
【発明の詳細な説明】
【０００１】
【発明の属する技術分野】
本発明は、サーバの保有する所定の情報、外部の製品や機器に設置されたＲＦＩＤタグ又はバーコードからの所定の情報を、サービス提供業者又は商品販売店におけるサービスに関連付ける連携サービスシステムに関するものである。
【０００２】
【従来の技術】
近年、家庭内でも映像や音楽等のコンテンツを保存できる大容量のホームサーバが普及しつつある。これらのホームサーバから携帯情報端末にコンテンツを取り出して、屋外でコンテンツを楽しむ用途が増加しつつある。例えば、音楽ＣＤや、インターネット経由で音楽コンテンツをパーソナルコンピュータ（ＰＣ）又はホームサーバに取り込み、移動時に携帯するプレーヤから音楽コンテンツを再生して楽しむ例がある。また、インターネット等で受信したコンテンツのサービス情報を利用して、コンテンツ関連の店頭で、商品割引などの連携サービスを受ける例もある。
【０００３】
図１０は、従来の連携サービスシステムの一例であるコンテンツ視聴とアトラクションの連携サービスシステムの概念を示す構成図である。映像や音響等のコンテンツを配信する配信局５１から、アトラクション５２に関係するコンテンツを、受信機５３を介して視聴する。そして視聴したことに関わる視聴情報を、携帯可能な記憶媒体５４に記録する。この記憶媒体５４に記録された視聴情報をアトラクション５２に持ち込み、その内容を読み込む。この読み込んだ視聴情報に基づいて、アトラクション５２の特典サービスを実施するという連携サービス方法が提案されている（例えば、特許文献１参照）。
【０００４】
【特許文献１】
特開２００２−３６６６９７号公報（第３−４頁、第１図）
【０００５】
【発明が解決しようとする課題】
しかしながら、上記従来の連携サービス方法では、記憶媒体ごとの管理を行っていないので、配信局に登録された受信機情報が一致していれば、取得した視聴情報を何度でも別の記憶媒体に記録することができる。このため、特典サービスを受けられる権利が複製されるという問題があった。また、入手できる情報が配信局から提供される情報に限定されるので、特典サービスの範囲が固定されるという問題があった。
【０００６】
本発明は、かかる問題点に鑑みてなされるものであり、取得した所定の情報の不正な複製を防止でき、かつ所定の情報の入手元における機器管理、及び情報の入手元を広範囲に設定できる連携サービスシステムを実現することを目的とする。
【０００７】
【課題を解決するための手段】
本願の請求項１の発明は、サービス情報に基づいて特典サービスを受けるための連携サービスシステムであって、前記サービス情報を記憶する蓄積手段と、前記蓄積手段に記録された前記サービス情報を外部に送信する情報伝達手段と、前記サービス情報に基づいて特典サービスを受けるユーザを確認するため、サービス提供業者に設けられた確認システムと、を具備し、前記確認システムは、前記蓄積手段の保有する識別情報を受け取り、前記識別情報を登録すると共に、異なる識別情報を保有する蓄積手段との交信を排除し、登録された識別情報を有する蓄積手段であることを確認した後は、前記サービス提供業者が受け取った前記サービス情報及びサービス提供履歴に基づいて、ユーザがサービス提供業者の特典サービスを享受するようにしたことを特徴とする。
【０００８】
本願の請求項２の発明は、サーバに蓄積されたサービス情報に基づいて特典サービスを受けるための連携サービスシステムであって、データ及びサービス情報を保有するサーバと、前記サーバで暗号化された前記サービス情報を外部に送信する情報伝達手段と、前記情報伝達手段から送信された前記サービス情報に基づいて特典サービスを受けるユーザを確認するため、サービス提供業者に設けられた確認システムと、を具備し、前記確認システムは、前記情報伝達手段を介してサーバの保有する識別情報を受け取り、前記識別情報を登録すると共に、異なる識別情報を保有するサーバとの交信を排除し、登録されたサーバであることを確認した後は、前記サービス提供業者が受信した前記サービス情報及びサービス提供履歴に基づいて、ユーザが前記サービス提供業者の特典サービスを享受するようにしたことを特徴とする。
【０００９】
本願の請求項３の発明は、サーバに蓄積されたサービス情報に基づいて特典サービスを受けるための連携サービスシステムであって、データ及びサービス情報を保有するサーバと、前記サーバで暗号化された前記データ及び前記サービス情報を受け取り、記録する記憶媒体と、前記記憶媒体に記録された前記サービス情報に基づいて特典サービスを受けるユーザを確認するため、商品販売店に設けられた確認システムと、を具備し、前記サーバは、前記記憶媒体の保有する識別情報を受け取って前記識別情報を記憶し、異なる識別情報を保有する記憶媒体を排除すると共に、前記データ及びサービス情報を正規の識別情報を保有する前記記憶媒体に記録し、前記確認システムは、前記記憶媒体の保有する識別情報を受け取り、前記識別情報を登録すると共に、異なる識別情報を保有する記憶媒体との交信を排除し、登録された識別情報を有する記憶媒体であることを確認した後は、前記商品販売店が受信した所定の情報及びサービス提供履歴に基づいて、ユーザが前記商品販売店の特典サービスを享受するようにしたことを特徴とする。
【００１０】
本願の請求項４の発明は、サーバに蓄積されたサービス情報に基づいて特典サービスを受けるための連携サービスシステムであって、データ及びサービス情報を保有するサーバと、前記サーバで暗号化された前記データ及び前記サービス情報を受け取り、記録する記憶媒体と、前記記憶媒体に記録された前記データ及び前記サービス情報を復号し、外部に送信する携帯情報端末と、前記携帯情報端末から送信されたサービス情報に基づいて特典サービスを受けるユーザを確認するため、商品販売店に設けられた確認システムと、を具備し、前記サーバは、携帯情報端末に前記記憶媒体が内蔵されているとき、前記記憶媒体の保有する識別情報を受け取り、前記識別情報を記憶すると共に、異なる識別情報を保有する携帯情報端末を排除し、携帯情報端末に内蔵されている記憶媒体に前記データ及びサービス情報を記録し、前記確認システムは、前記携帯情報端末に内蔵された記憶媒体の保有する識別情報を受け取り、前記識別情報を登録すると共に、異なる識別情報を保有する携帯情報端末との交信を排除し、登録された携帯情報端末であることを確認した後は、前記商品販売店が受信した前記サービス情報及びサービス提供履歴に基づいて、ユーザが前記商品販売店の特典サービスを享受するようにしたことを特徴とする。
【００１１】
本願の請求項５の発明は、ユーザが使用する機器に設置されたＲＦＩＤ（Ｒａｄｉｏ  Ｆｒｅｑｕｅｎｃｙ  Ｉｄｅｎｔｉｆｉｃａｔｉｏｎ  無線周波数識別）タグのサービス情報に基づいて特典サービスを受けるための連携サービスシステムであって、前記機器に設置されたＲＦＩＤタグと、前記ＲＦＩＤタグから暗号化されたサービス情報を受け取る携帯情報端末と、前記携帯情報端末から出力された前記サービス情報に基づいて特典サービスを受けるユーザを確認するため、商品販売店に設けられた確認システムと、を具備し、前記ＲＦＩＤタグは、前記携帯情報端末に内蔵された記憶媒体の識別情報を受け取り、前記識別情報を記憶すると共に、異なる識別情報を持つ携帯情報端末を排除し、携帯情報端末に内蔵されている記憶媒体に前記サービス情報を記録し、前記確認システムは、前記携帯情報端末に内蔵された記憶媒体の識別情報を受け取って登録すると共に、異なる識別情報が記録された携帯情報端末との交信を排除し、登録された識別情報が携帯情報端末から確認された後は、前記商品販売店が受信した前記サービス情報及びサービス提供履歴に基づいて、ユーザが前記商品販売店の特典サービスを享受するようにしたことを特徴とする。
【００１２】
本願の請求項６の発明は、ユーザが使用する機器に設置されたバーコードのサービス情報に基づいて特典サービスを受けるための連携サービスシステムであって、前記機器に設置されたバーコードと、前記バーコードから暗号化されたサービス情報を受け取る携帯情報端末と、前記携帯情報端末から出力された前記サービス情報に基づいて特典サービスを受けるユーザを確認するため、商品販売店に設けられた確認システムと、を具備し、前記携帯情報端末は、前記バーコードから受け取った前記サービス情報を、前記携帯情報端末に内蔵された記憶媒体に記録し、前記確認システムは、前記携帯情報端末の記憶媒体から前記識別情報を受け取り、前記識別情報を登録すると共に、異なる識別情報が記録された携帯情報端末との交信を排除し、登録された識別情報が前記携帯情報端末から確認された後は、前記商品販売店が受信した前記サービス情報及びサービス提供履歴に基づいて、ユーザが前記商品販売店の特典サービスを享受するようにしたことを特徴とする。
【００１３】
本願の請求項７の発明は、請求項１〜６のいずれか１項の連携サービスシステムにおいて、前記サービス情報は、購入商品情報であることを特徴とする。
【００１４】
本願の請求項８の発明は、請求項１〜６のいずれか１項の連携サービスシステムにおいて、前記サービス情報は、サーバの製品情報であることを特徴とする。
【００１５】
本願の請求項９の発明は、請求項３〜８のいずれか１項の連携サービスシステムにおいて、前記記憶媒体は、固有の識別情報を有するメモリカードであることを特徴とする。
【００１６】
【発明の実施の形態】
以下、サーバ及び携帯情報端末を用いた本発明の実施の形態による連携サービスシステムについて、図面を参照しながら説明する。
【００１７】
（実施の形態１）
本発明の実施の形態１における連携サービスシステムについて説明する。図１は実施の形態１における連携サービスシステムの構成図である。サーバ１は、コンテンツ配信で受信したコンテンツデータを保有したり、サーバ１に関するサービス情報、即ちサーバ１の製品情報を保有したりする情報の蓄積手段である。なお、コンテンツとしては、音楽や画像に限らず、ゲームソフトやアプリケーションソフトのようなデータであっても構わない。また、サーバ１のサービス情報としては、サーバ１の機器製品番号や製造番号、サーバ１で使用しているシステムのソフトウェアのバーション情報、サーバ１における構成部品の消耗度合いの情報であってもよい。しかし、これらの情報に限定するものではない。
【００１８】
メモリカード２は、サーバ１の保有するコンテンツデータや製品情報を取り出すための記憶媒体である。メモリカード２には、ユーザからは読み出せない領域に固有の識別情報３が記録されている。識別情報３は例えば６４ビットのメモリカード固有のデータからなっている。サーバ１が保有するコンテンツデータやサービス情報をメモリカード２に記録する場合、固有の識別情報３を使用して正当な再生機器でのみで復号が可能なように、コンテンツデータやサービス情報を暗号化して記録する。こうすれば、識別情報３は外部から書き換えができないため、他のメモリカードにコンテンツデータやサービス情報を不正にコピーしたとしても、識別情報３が異なるため正常に復号することができない。
【００１９】
メモリカード２がサーバ１からコンテンツデータやサービス情報を取り出して記憶する場合、サーバ１はメモリカード２の識別情報３を記憶する。以降、サーバ１が他のメモリカードからコンテンツデータやサービス情報の出力を要求された場合、サーバ１は既に記憶されている識別情報４かどうかを調べ、識別情報が一致しない場合には要求を拒絶する。なお、識別情報が一致している場合で、過去に複製したコンテンツデータやサービス情報がメモリカード２から消去されているなどで、メモリカード２内に存在しないことを確認した場合には、そのコンテンツデータやサービス情報を複製することができる。
【００２０】
また、識別情報が一致している場合であって、過去に複製した製品情報がサーバ１の製品情報と相違している場合、例えば、更新日時の変化があれば、製品情報を更新する。これにより、常に最新の製品情報を提供することができる。
【００２１】
サーバ１の内部構成の概要を図２に示す。コンテンツ受信手段１１は、テレビ局やインターネットプロバイダーなどからの配信コンテンツを受信するもので、例えばチューナなどがこれに当たる。データ管理手段１２は、コンテンツ受信手段１１からの配信コンテンツデータの蓄積制御を行うと共に、各種コンテンツに付随するライセンス情報に従って、データ記憶媒体１３に蓄積されているコンテンツデータのメモリカード２への複製や消去の管理や暗号化を行う。
【００２２】
データ記憶媒体１３は配信コンテンツデータを蓄積する。認証手段１４はメモリカード２の識別情報を管理し、識別情報の照合結果をコンテンツデータやサービス情報の出力に反映する。メモリカード録再手段１５は、サーバ１に装着されたメモリカード２に対して、コンテンツデータやサービス情報を記録したり、メモリカード２内のデータや識別情報の呼び出しや消去をする。ユーザ入力手段１６は、ユーザによる配信コンテンツの選択や、メモリカード２への書き込みや消去などの指示を受け、制御の指示をする。表示手段１７はサーバ１の動作状態や配信コンテンツのタイトル情報を表示する。なお、情報の表示はサーバ１の表示パネル、又は外部の表示装置で行ってもよい。
【００２３】
情報伝達手段である携帯情報端末５ａの内部構成の概要を図３に示す。データ送受信手段２１は、識別情報の認証が不要なデータの受信や、図１の商品販売店７で製品情報の送信を行う。なお、識別情報の認証が必要なコンテンツデータや製品情報などのデータは、メモリカード２を用いて入手する。データ管理手段２２は、データ送受信手段２１への各種データの送受信制御や、メモリカード２内のコンテンツデータや製品情報の復号を行う。データ記憶媒体２３は、各種データの蓄積を行う。なおデータの蓄積は、データ記憶媒体２３を用いずに、メモリカード２で代用しても構わない。
【００２４】
メモリカード録再手段２４は、携帯情報端末５ａに装着されたメモリカード２へのコンテンツデータやサービス情報の呼び出し、及びメモリカード２内のコンテンツデータの消去、又は各種データの記録を行う。ユーザ入力手段２５は、ユーザによる蓄積データの選択や、メモリカード２からのデータの読み込みなどの指示を受け、制御の指示を行う。表示手段２６は、携帯情報端末５ａの動作状態やコンテンツのタイトル情報を表示する。ＲＦＩＤタグ読み取り手段２７は、ＲＦＩＤタグから情報を入手するものである。その詳細については後述する。
【００２５】
正当な携帯情報端末５の１つである携帯情報端末５ａにメモリカード２を装着することで、暗号化されたコンテンツデータやサービス情報を復号して再生することができる。ユーザ６は携帯情報端末５ａを携帯してサービス提供業者である商品販売店７に出向き、商品販売店７の確認システム８にサービス情報を読み込ませる。
【００２６】
商品販売店７に設けられた確認システム８の内部構成の概要を図４に示す。製品情報受信手段６１は、ユーザ６が提示した携帯情報端末５ａから製品情報を読み込む。なお、確認システム８は、携帯情報端末５ａと有線又は無線で接続される。認証手段６２は、ユーザ６が正規の製品情報の保有者であるか否かを認証する。このため、メモリカード２の識別情報を商品販売店７の確認システム８に登録し、登録した認証情報と、これまでに提供された特典サービスの履歴とを関連づけることにより、同じ特典サービスを短期間に受けるような不正行為を防ぐことができる。なお、認証手段６２として、商品販売店７がユーザ６に発行している会員カードと、提示された製品情報の内容を初回の確認時に関連づけ、２回目以降の製品情報の確認時に会員カードと製品情報の関連を都度認証してもよい。これにより、会員カードを他人に譲渡又は貸し出す不正行為を防ぐことができる。
【００２７】
データ管理手段６３は、認証手段６２で用いる会員カード情報や製品情報の検索を行うと共に、製品情報と特典サービス内容の対応関係を調べ、表示手段６６にその結果を表示する。入力手段６４は、商品販売店７の店員による蓄積データの選択や、製品情報受信手段６１やメモリカード２からのデータの読み込みなどの指示を受け、制御の指示を行う。データベース６５は、製品情報に対応する特典サービス内容や、会員カードの登録情報等、各種データの蓄積を行う。表示手段６６は、特典サービスに関する情報や認証手段６２の認証結果等を表示する。メモリカード録再手段６７は、装着されたメモリカード２からの製品情報の呼び出しや、メモリカード２への各種提供情報の記録を行う。なおメモリカード録再手段６７は、製品情報が記録されているメモリカード２から直接読み出す場合に主に使用される。
【００２８】
ユーザ６は、確認システム８で読み込まれたサービス情報に基づいて商品販売店７の特典サービスを受けられる。特典サービスとして、例えば、サービス情報が製品情報、即ちサーバ１の製品番号や製造番号の場合には、サーバ１に使用できる記録メディア（ＤＶＤ−Ｒディスク、ＤＶＤ−ＲＡＭディスク、ＤＶＤ−ＲＷディスク、ハードディスクなど）を他の顧客よりも安価で購入できるというサービスが考えられる。なお、商品販売店７は、上記の記録メディアとしてサーバ１を製造している製造会社から直販されている商品販売店７限定の独自商品を扱うことにより、製造会社と商品販売店７間の独自の価格設定ができ、上記の記録メディアを販売している商品販売店７に、より多くの顧客を集めることができる。
【００２９】
また、サービス情報がサーバ１で使用しているシステムにおけるソフトウェアのバーション情報の場合には、最新のバージョンへのアップデートの告知と、アップデート対応サービスがある。また、サービス情報がサーバ１における構成部品の消耗度合いを示す情報の場合には、交換が必要な部品の告知と、交換部品の有償提供するサービスなどがある。
【００３０】
なお、本実施の形態では、商品販売店７の確認システム８に対して携帯情報端末５ａを接続して用いるとしたが、商品販売店７はサービス情報が記録されているメモリカード２から直接情報を読み出す構成にしてもよい。
【００３１】
なお、本実施の形態では、ユーザ６が携帯情報端末５ａを携帯して商品販売店７に出向いて特典サービスを受けているが、インターネット等の他の情報伝達手段を用いて、特典サービスを提供するサービス提供業者と交信して、特典サービスを受けてもよい。
【００３２】
なお、本実施の形態では、サーバ１を用いる構成にしているが、各種のデータやサービス情報が一時的に記憶できるものであれば、他の蓄積手段でもよく、サーバに限定されるものではない。
【００３３】
なお、本実施の形態では、サーバ１に関するサービス情報を保有し、サービス情報に関連する特典サービスを提供しているが、サーバ１に限らず、これまでに購入した製品やコンテンツデータ、ゲームソフト、アプリケーションソフトのような購入商品の情報を保有し、購入製品に関連する特典サービスやコンテンツデータの次回購入時における割引サービスなどの特典サービスを提供してもよい。
【００３４】
（実施の形態２）
次に本発明の実施の形態２における連携サービスシステムについて説明する。図５は実施の形態２における連携サービスシステムの構成図である。図６は本実施の形態に用いられる情報伝達手段である携帯情報端末５ｂの構成図である。実施の形態１と異なる点は、記憶媒体として携帯情報端末５ｂに内蔵されているデータ記憶媒体を用い、携帯情報端末５ｂに識別情報を持たせた点である。以下、実施の形態１と異なる点を中心に説明する。
【００３５】
サーバ１は、通常は携帯情報端末５ｂと専用の通信ケーブル、例えばＵＳＢケーブルで接続される。図６に示す携帯情報端末５ｂのデータ記憶媒体３３には、ユーザからは直接呼び出せない領域に固有の識別情報３が記憶されている。この識別情報３を用いて、サーバ１からコンテンツデータやサービス情報を取り出す。
【００３６】
データ送受信手段３１は識別情報の送信、及びコンテンツデータやサービス情報の１つとしてサーバ１の製品情報の受信、図５の商品販売店７で製品情報の送信を行う。データ管理手段３２は、データ送受信手段３１への各種データの送受信制御や、コンテンツデータやサービス情報の蓄積、コンテンツデータやサービス情報の復号を行う。データ記憶媒体３３は各種データを蓄積する。また、データ記憶媒体３３にはユーザからは呼び出せない領域に固有の識別情報３が記録されている。ユーザ入力手段３４は、ユーザによる蓄積データの選択などの指示を受け、制御を指示する。表示手段３５は、携帯情報端末５ｂの動作状態やコンテンツのタイトル情報を表示する。ＲＦＩＤタグ読み取り手段３６は、ＲＦＩＤタグから情報を入手する。
【００３７】
図５に示すユーザ６は、携帯情報端末５ｂを携帯してサービス提供業者である商品販売店７に出向くが、以降の流れは実施の形態１と同様である。なお、本実施の形態では、サーバ１と携帯情報端末５を有線で接続するとしたが、無線で接続するようにしてもよい。その場合、サーバ１に携帯情報端末５ｂを物理的に接続しなくても、通信可能範囲にある限り、定期的に携帯情報端末５ｂの識別情報と、データ記憶媒体３３内に記録されているコンテンツデータやサービス情報とを調べて、消去されているものや更新するものがあれば、複製するようにしてもよい。
【００３８】
（実施の形態３）
次に製品や機器（ここでは機器という）、及び携帯情報端末を用いた本発明の実施の形態３における連携サービスシステムについて説明する。図７は実施の形態３における連携サービスシステムの構成図である。機器４１は、ユーザが使用する製品又は機器であり、ＲＦＩＤタグ４２が取り付けられている。このＲＦＩＤタグ４２に識別情報４が記録されている。
【００３９】
ＲＦＩＤタグ（Ｒａｄｉｏ  Ｆｒｅｑｕｅｎｃｙ  Ｉｄｅｎｔｉｆｉｃａｔｉｏｎ  無線周波数識別）は、タグに格納されている情報内容を、非接触にリーダで読み取らせるもので、タグとリーダの間の通信手段として、電磁結合方式、電磁誘導方式、電波通信方式がある。本実施の形態では電波通信方式を用いる。他の実施の形態と異なる点は、携帯情報端末５ｂが、サーバからコンテンツデータや、サービス情報であるサーバの製品情報を受信する代わりに、外部の機器４１に設置されたＲＦＩＤタグ４２に記録されているサービス情報などの内容を受信することである。
【００４０】
例えば家庭内にある空調機器や冷蔵庫などの機器４１にＲＦＩＤタグ４２を設置することができる。ＲＦＩＤタグ４２は、例えば５４ｍｍ×８６ｍｍ×０．２５ｍｍのラベル状で、図８に内部構成を示す。
【００４１】
アンテナ４３は、図６に示す携帯情報端末５ｂのＲＦＩＤタグ読み取り手段３６との間でマイクロ波信号を送受信する。受信手段／起電力発生手段４４は、アンテナ４３から受信したマイクロ波信号を検出し、信号を受信し、マイクロ波の受信電力から起電力を充電手段４５に充電する。充電手段４５は充電した電力を送信手段４６、データ管理手段４７、データ記憶手段４８に供給する。これにより各手段が起動できるようになる。
【００４２】
送信手段４６はデータ管理手段４７から出力された信号をアンテナ４３からマイクロ波信号で送信する。データ管理手段４７はデータ記憶手段４８からデータを呼び出し、送信手段４６に渡す。またデータ管理手段４７は、受信手段／起電力発生手段４４で受信した識別情報を、データ記憶手段４８に格納したり、照合したりする。データ記憶手段４８は、携帯情報端末５ｂへ送信するサービス情報として、機器４１の製品情報、例えば製品番号、製造番号、消耗品の部品番号、消耗品の交換タイミングなどを記憶する。
【００４３】
一方、携帯情報端末５ｂには、図６に示すようにＲＦＩＤタグ４２から信号を受信するＲＦＩＤタグ読み取り手段３６がある。このＲＦＩＤタグ読み取り手段３６は、アンテナ、送信手段、受信手段、データ管理手段を含んで構成されている。アンテナの内部構成は、図８に示すＲＦＩＤタグ４２の充電手段４４とデータ記憶手段４８とを除いた構成と同一であるため、図は省略する。
【００４４】
ＲＦＩＤタグ読み取り手段３６内のアンテナで、ＲＦＩＤタグ４２とマイクロ波信号の送受信を行い、送信手段から携帯情報端末５ｂの識別情報３と、必要に応じてＲＦＩＤタグ４２の情報の更新をマイクロ波信号で送信する。また、ＲＦＩＤタグ読み取り手段３６内の受信手段は、アンテナから受信されたマイクロ波信号を検出して、ＲＦＩＤタグ４２から送信されたサービス情報を受信する。データ管理手段３２は受信した信号を復調及び復号し、携帯情報端末５ｂのデータ管理手段３２に渡す。これ以外の構成及び動作は、実施の形態１又は２と同様である。
【００４５】
なお、本実施の形態では、ＲＦＩＤタグ４２を用いたが、図９の全体構成図に示すように、機器４１にバーコード４７を設け、これを用いても構わない。この場合は、機器４１に例えばラベル状のバーコード４９を貼り付け、バーコード４７に記録されている情報を、携帯情報端末５ｂのバーコード読み取り手段３６Ａ（図示せず）が読み取る。この場合、バーコード読み取り手段３６Ａは受信手段のみであり、構成が簡単なことが特徴である。
【００４６】
なお、本実施の形態では、ＲＦＩＤタグ又はバーコードの形状をラベル形状としたが、カード形、箱形、スティック形でも構わない。
【００４７】
なお、本実施の形態では、記憶媒体に携帯情報端末を用いているが、メモリカードを用いてもよい。
【００４８】
【発明の効果】
以上のように本発明によれば、記憶媒体の固有の識別情報を利用して、サーバから暗号化されたサービス情報やコンテンツのデータに対して、複製を制限するように識別情報を管理することができる。そして識別情報が一致しない記憶媒体へはサービス情報やデータの複製を許可しない。また他の記憶媒体へ不正に複製できたとしても、正当な識別情報がなければ復号できなくなる。このため、コンテンツのデータやサービス情報に対して信頼性の高い保護を実現できる。
【００４９】
また、サーバから複製したサービス情報を利用して、ユーザは他の顧客よりも有利な条件でサービスを享受できる。関連製品の場合はその価格を低減し、サーバのシステムにおけるソフトウェアの場合は最新のバージョンにアップできる。
【００５０】
また、サービス提供業者である商品販売店は、サーバを製造している製造会社との間に限定して、特典サービス用の販売商品を取り扱えるため、特典サービスを受けたい顧客を優先的に集めることができる。
【００５１】
さらに、サーバのみならず、ＲＦＩＤタグ又はバーコードが設置された外部の製品又は機器からも、製品情報を含むサービス情報を入手できるので、広範囲の製品や機器にわたって連携サービスシステムを実現することができる。
【図面の簡単な説明】
【図１】本発明の実施の形態１における連携サービスシステムの構成図である。
【図２】実施の形態１におけるサーバの内部構成図である。
【図３】実施の形態１における携帯情報端末の内部構成図である。
【図４】実施の形態１における確認システムの内部構成図である。
【図５】本発明の実施の形態２におけるサーバ、携帯情報端末を用いた連携サービスシステムの構成図である。
【図６】実施の形態２における携帯情報端末の内部構成図である。
【図７】本発明の実施の形態３におけるＲＦＩＤタグ、携帯情報端末を用いた連携サービスシステムの構成図である。
【図８】実施の形態３におけるＲＦＩＤタグの内部構成図である。
【図９】本発明の実施の形態３における連携サービスシステムの構成図である。
【図１０】従来の連携サービスシステムの基本構成図である。
【符号の説明】
１  サーバ
２  メモリカード（記憶媒体）
３，４  識別情報
５ａ，５ｂ  携帯情報端末
６  ユーザ
７  商品販売店
８  確認システム
１１  コンテンツ受信手段
１２，２２，３２，４７，６３  データ管理手段
１３，２３，３３  データ記憶媒体
１４  認証手段
１５，２４，６７  メモリカード録再手段
１６，２５，３４  ユーザ入力手段
１７，２６，３５，６６  表示手段
２１，３１  データ送受信手段
２７，３６  ＲＦＩＤタグ読み取り手段
３６Ａ  バーコード読み取り手段
４１  機器
４２  ＲＦＩＤタグ
４３  アンテナ
４４  受信手段／起電力発生手段
４５  充電手段
４６  送信手段
４８  データ記憶手段
４９  バーコード
６１  製品情報受信手段
６２  認証手段
６４  入力手段
６５  データベース
【図１】
2005004357.tif 000003
【図２】
2005004357.tif 000004
【図３】
2005004357.tif 000005
【図４】
2005004357.tif 000006
【図５】
2005004357.tif 000007
【図６】
2005004357.tif 000008
【図７】
2005004357.tif 000009
【図８】
2005004357.tif 000010
【図９】
2005004357.tif 000011
【図１０】
2005004357.tif 000012